(57)【要約】【課題】種々の問題を解決する、音声認識機能を利用する電子機器を提供すること。【解決手段】スピーカー装置１は、音声認識の結果に対して音声を出力する。スピーカー装置１は、マイクロコンピューター２を備える。マイクロコンピューター２は、入力される音声のレベルが、所定のレベル以下である場合に、音声認識の結果に対して、音声出力の代わりに、表示を行う。また、マイクロコンピューター２は、入力される音声のレベルが、所定のレベル以下である場合に、スピーカー出力をミュートする。【選択図】図２
2020135127.tif 000002
【特許請求の範囲】
【請求項１】
音声認識の結果に対して音声を出力する電子機器であって、
入力される音声のレベルが、所定のレベル以下である場合に、音声認識の結果に対して、音声出力の代わりに、表示を行う制御部を備えることを特徴とする電子機器。
【請求項２】
前記制御部は、入力される音声のレベルが、所定のレベル以下である場合に、スピーカー出力をミュートすることを特徴とする請求項１に記載の電子機器。
【請求項３】
前記制御部は、音声認識の結果と、それに対する実行内容と、を表示することを特徴とする請求項１又は２に記載の電子機器。
【請求項４】
複数のマイクと、
前記複数のマイクのうち、いずれかのマイクが集音した音声を減衰する音量調整部と、  をさらに備え、
前記音量調整部による減衰量は、前記所定のレベル以下の音声である場合に、音声がクリップしない減衰量であることを特徴とする請求項１〜３のいずれか１項に記載の電子機器。
【請求項５】
音声を集音し、集音した音声を、デジタル音声信号として出力するデジタルマイクと、
前記所定のレベルを記憶するメモリと、をさらに備え、
前記制御部は、前記メモリに記憶されている前記所定のレベルに基づいて、入力される音声が、前記所定のレベル以下であるか否かを判断することを特徴とする請求項１〜３のいずれか１項に記載の電子機器。
【発明の詳細な説明】
【技術分野】
【０００１】
本発明は、音声認識機能を利用する電子機器に関する。
【背景技術】
【０００２】
音声認識機能を利用する電子機器は、ユーザーの発話を音声認識し、例えば、ユーザーの発話が質問であれば、その質問に対して、回答を行う（例えば、特許文献１参照。）。例えば、ユーザーは、電子機器に対して、「今日の天気は」という質問をし、電子機器は、「今日の天気は晴れです」という回答をする。
【先行技術文献】
【特許文献】
【０００３】
【特許文献１】特開２０１９−０１５９５０号公報
【発明の概要】
【発明が解決しようとする課題】
【０００４】
上述したような、音声認識機能を利用する従来の電子機器では、周囲に他の人間が存在すると、発話（入力）内容が、周囲の他の人間に知られてしまう。また、発話（入力）行為そのものが、周囲に雑音を撒き散らすことになる。また、ユーザーによっては、電子機器に対して発話することを恥ずかしく感じる場合もある。このように、音声認識機能を利用する従来の電子機器は、種々の問題がある。
【０００５】
本発明の目的は、種々の問題を解決する、音声認識機能を利用する電子機器を提供することである。
【課題を解決するための手段】
【０００６】
第１の発明の電子機器は、音声認識の結果に対して音声を出力する電子機器であって、入力される音声のレベルが、所定のレベル以下である場合に、音声認識の結果に対して、音声出力の代わりに、表示を行う制御部を備えることを特徴とする。
【０００７】
本発明では、制御部は、入力される音声のレベルが、所定のレベル以下である場合に、音声認識の結果に対して、音声出力の代わりに、表示を行う。これにより、ユーザーは、小さい声で話せばよい。このため、発話（入力）内容を周囲の人間に知られることがない。また、周囲に雑音を撒き散らすこともない。また、ユーザーは、視覚で情報を得ることができる。このように、本発明によれば、種々の問題を解決することができる。
【０００８】
第２の発明の電子機器は、第１の発明の電子機器において、前記制御部は、入力される音声のレベルが、所定のレベル以下である場合に、スピーカー出力をミュートすることを特徴とする。
【０００９】
第３の発明の電子機器は、第１又は第２の発明の電子機器において、前記制御部は、音声認識の結果と、それに対する実行内容と、を表示することを特徴とする。
【００１０】
第４の発明の電子機器は、第１〜第３のいずれかの発明の電子機器において、複数のマイクと、前記複数のマイクのうち、いずれかのマイクが集音した音声を減衰する音量調整部と、をさらに備え、前記音量調整部による減衰量は、前記所定のレベル以下の音声である場合に、音声がクリップしない減衰量であることを特徴とする。
【００１１】
第５の発明の電子機器は、第１〜第３のいずれかの発明の電子機器において、音声を集音し、集音した音声を、デジタル音声信号として出力するデジタルマイクと、前記所定のレベルを記憶するメモリと、をさらに備え、前記制御部は、前記メモリに記憶されている前記所定のレベルに基づいて、入力される音声が、前記所定のレベル以下であるか否かを判断することを特徴とする。
【発明の効果】
【００１２】
本発明によれば、種々の問題を解決することができる。
【図面の簡単な説明】
【００１３】
【図１】本発明の第１実施形態に係るスピーカー装置の構成を示すブロック図である。
【図２】音声認識時のスピーカー装置の処理動作を示すフローチャートである。
【図３】本発明の第２実施形態に係るスピーカー装置の構成を示すブロック図である。
【発明を実施するための形態】
【００１４】
以下、本発明の実施形態について説明する。
【００１５】
（第１実施形態）
図１は、第１実施形態に係るスピーカー装置１を示すブロック図である。図１に示すように、スピーカー装置１（電子機器）は、マイクロコンピューター２と、ＤＳＰ（Digital Signal Processor）３と、Ｄ／Ａコンバーター（以下、「ＤＡＣ」という。）４と、アンプ５と、スピーカー６と、第１マイク７１〜第ｎマイク７ｎと、第１プリアンプ８１〜第（ｎ−１）プリアンプ８ｎ−１と、第１Ａ／Ｄコンバーター（以下、「ＡＤＣ」という。）９１〜第ｎＡＤＣ９ｎと、ボリュームＩＣ１０と、表示部１１と、を備える。
【００１６】
マイクロコンピューター２（制御部）は、ＣＰＵ（Central Processing Unit）、ＲＯＭ（Read Only Memory）、ＲＡＭ（Random Access Memory）、入出力インターフェース等のハードウェアから構成されている。ＣＰＵは、ＲＯＭに格納されたプログラムに従って、スピーカー装置１を構成する各部を制御する。ＤＳＰ３は、デジタル音声信号に、各種の信号処理を行う。ＤＡＣ４は、ＤＳＰ３から供給されるデジタル音声信号を、アナログ音声信号にＤ／Ａ変換する。アンプ５は、ＤＡＣ４から供給されるアナログ音声信号を増幅する。スピーカー６は、アンプ５から供給されるアナログ音声信号に基づいて、音声を出力する。
【００１７】
第１マイク７１〜第ｎマイク７ｎ（複数のマイク）（マイク７）は、音声を集音する。第１マイク７１〜第ｎマイク７は、アナログマイクである。第１プリアンプ８１〜第（ｎ−１）プリアンプ８ｎ−１（プリアンプ８）は、マイクから供給されるアナログ音声信号を増幅する。第１ＡＤＣ９１〜第（ｎ−１）ＡＤＣ９ｎ−１（ＡＤＣ９）は、プリアンプから供給されるアナログ音声信号を、デジタル音声信号にＤ／Ａ変換する。デジタル音声信号は、ＤＳＰ３に供給される。
【００１８】
ボリュームＩＣ１０（音量調整部）は、第ｎマイク７ｎが集音した音声を減衰する。第ｎＡＤＣ９ｎは、ボリュームＩＣ１０から供給されるアナログ音声信号を、デジタル信号にＡ／Ｄ変換する。デジタル音声信号は、ＤＳＰ３に供給される。表示部１１は、音声認識の状況を表示するためのＬＥＤ、画像等を表示するＬＣＤにより構成される。
【００１９】
第ｎマイク７ｎは、ささやき声（所定のレベル以下の音声）認識用のマイクである。ここで、ボリュームＩＣによる音声の減衰量は、第ｎマイク７ｎが集音した音声が、所定のレベル以下である場合に、クリップしない減衰量である。従って、第ｎマイク７ｎが集音した音声が、所定のレベル以下であれば、クリップせず、音声認識可能である。一方で、第ｎマイク７ｎが集音した音声が、所定のレベルよりも大きければ（例えば、普段の音声レベル）、クリップし、音声認識することができない。ささやき声のレベルであれば、ボリュームＩＣ１０からの出力は、正常な値となり、第ｎマイク７ｎが集音した音声により、音声認識が可能となる。ユーザーは、ボリュームＩＣ１０による減衰量を設定することができる。このため、ユーザーは、所望の音声レベルのささやき声が認識されるように、設定することができる。
【００２０】
通常、マイクロコンピューター２は、マイク７が集音した音声を、サーバーに送信し、サーバーから送信された質問に対する回答等を、スピーカー６に出力する。従って、スピーカー装置１は、音声認識の結果に対して音声を出力する。一方、マイクロコンピューター２は、第ｎマイク７ｎから入力される音声のレベルが、所定のレベル以下である場合、音声がクリップしていないことから、サーバーで音声認識可能であり、音声認識の結果に対して、音声出力の代わりに、表示部１１のＬＣＤに表示を行う。例えば、音声認識の結果が、「今日の天気は」（命令文）であり、それに対する実行内容が、「今日の天気は晴れです」（実行文）であった場合、マイクロコンピューター２は、これらをＬＣＤに表示する。このとき、マイクロコンピューター２は、ＤＡＣ４やアンプ５を制御し、スピーカー出力をミュートする。
【００２１】
以下、音声認識時のスピーカー装置１０１の処理動作を、図２に示すフローチャートに基づいて説明する。マイクロコンピューター２は、音声を受信すると（Ｓ１）、音声を認識できたか否かを判断する（Ｓ２）。マイクロコンピューター２は、音声認識できなかったと判断した場合（Ｓ２：Ｎｏ）、ＬＥＤにより、音声を受信できなかった旨を通知する（Ｓ３）。マイクロコンピューター２は、音声を認識できたと判断した場合（Ｓ２：Ｙｅｓ）、ＬＥＤにより、受信状況（受信できた旨）をユーザーにフィードバックする（Ｓ４）。次に、マイクロコンピューター２は、サーバーに受信した音声を送信する（Ｓ５）。次に、マイクロコンピューター２は、サーバーからの応答結果を受信する（Ｓ６）。
【００２２】
次に、マイクロコンピューター２は、受話音量が４０ｄＢ以下であるか否かを判断する（Ｓ７）。マイクロコンピューター２は、受話音量が４０ｄＢ以下であると判断した場合（Ｓ７：Ｙｅｓ）、話者位置が２ｍ以内であるか否かを判断する（Ｓ８）。ここで、スピーカー装置１は、マイク７を複数備えているため、話者の位置をある程度特定可能である。マイクロコンピューター１０２は、話者位置が２ｍ以内でないと判断した場合（Ｓ８：Ｎｏ）、主要フォルマントの落ち込みが少ないか否かを判断する（Ｓ９）。マイクロコンピューター１０２は、受話音量が４０ｄＢ以下でないと判断した場合（Ｓ７：Ｎｏ）、主要フォルマントの落ち込みが少なくないと判断した場合（Ｓ９：Ｎｏ）、応答結果を音声で返答する（Ｓ１０）。マイクロコンピューター１０２は、話者位置が２ｍ以内であると判断した場合（Ｓ８：Ｙｅｓ）、主要フォルマントの落ち込みが少ないと判断した場合（Ｓ９：Ｙｅｓ）、応答結果を画面に表示する（Ｓ１１）。
【００２３】
Ｓ９において、マイクロコンピューター２は、主要フォルマントの落ち込みが少ないと判断した場合（Ｓ９：Ｙｅｓ）、ささやき声であるため、応答結果を画面に表示し（Ｓ１１）、主要フォルマントの落ち込みが少なくないと判断した場合（Ｓ９：Ｎｏ）、ささやき声でないため、応答結果を音声で返答する（Ｓ１０）。このように、ささやき声が持つ通常の会話との音響特性の違いから、画面表示と音声とによる返答が、切り分けられている。
【００２４】
以上説明したように、本実施形態では、マイクロコンピューター２は、入力される音声のレベルが、所定のレベル以下である場合に、音声認識の結果に対して、音声出力の代わりに、表示を行う。これにより、ユーザーは、小さい声で話せばよい。このため、発話（入力）内容を周囲の人間に知られることがない。また、周囲に雑音を撒き散らすこともない。また、ユーザーは、視覚で情報を得ることができる。このように、本実施形態によれば、種々の問題を解決することができる。
【００２５】
（第２実施形態）
図３は、第２実施形態に係るスピーカー装置１０１を示すブロック図である。図３に示すように、スピーカー装置１０１（電子機器）は、マイクロコンピューター１０２と、ＤＳＰ１０３と、ＤＡＣ１０４と、アンプ１０５と、スピーカー１０６と、マイク１０７と、メモリ１０８と、表示部１０９と、を備える。第２実施形態に係るスピーカー装置１０１は、第１実施形態に係るスピーカー装置１と比べて、デジタルマイクであるマイク１０７が１つである点、プリアンプ、ＡＤＣ、ボリュームＩＣを備えていない点、メモリ１０８を備えている点が異なる。マイクロコンピューター１０２、ＤＳＰ１０３、ＤＡＣ１０４、アンプ１０５、スピーカー１０６、及び、表示部１０９は、それぞれ、マイクロコンピューター２、ＤＳＰ３、ＤＡＣ４、アンプ５、スピーカー６、及び、表示部１１と同様の構成である。
【００２６】
マイク１０７は、上述のように、デジタルマイクである。マイク１０７は、音声を集音し、集音した音声を、デジタル音声信号として出力する。デジタル音声信号は、ＤＳＰ１０３に供給される。メモリ１０８は、例えば、フラッシュメモリである。メモリ１０８は、ささやき声を判定するための、所定のレベルを記憶している。マイクロコンピューター１０２は、マイク１０７が集音した音声が、メモリ１０８に記憶されている所定のレベル以下あるか否かを判断する。マイクロコンピューター１０２は、マイク１０７が集音した音声が、メモリ１０８に記憶されている所定のレベル以下であると判断した場合、音声認識の結果に対して、音声出力の代わりに、表示部１１のＬＣＤに表示を行う。
【００２７】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００２８】
本発明は、音声認識機能を利用する電子機器に好適に採用され得る。
【符号の説明】
【００２９】
１、１０１  スピーカー装置（電子機器）
２、１０２  マイクロコンピューター（制御部）
３、１０３  ＤＳＰ
４、１０４  ＤＡＣ
５、１０５  アンプ
６、１０６  スピーカー
７、１０７  マイク
８  プリアンプ
９  ＡＤＣ
１０  ボリュームＩＣ（音量調整部）
１１、１０９  表示部
１０８  メモリ
【図１】
2020135127.tif 000003
【図２】
2020135127.tif 000004
【図３】
2020135127.tif 000005